(57)【要約】【課題】組み立てが自在で、かつ、強固に連結することができる愛玩動物用筐体及び愛玩動物用構造体を提供する。【解決手段】愛玩動物用筐体１００は、複数の側面部１１，１２で内側に収容空間を有する略直方体状又は略立方体状の筐体本体１０と、筐体本体１０が着脱自在に連結される複数の箱状連結体２０，２０と、蓋体３０と、愛玩動物用爪研部材４０とを備えている。筐体本体１０が着脱自在に係合される箱状連結体２０の周縁に折曲周壁部２４を設け、折曲周壁部２４に他の筐体本体が連結される係合連結部２２ａ，２８ａ又は２６ａを設けた。【選択図】図１
0003208211.tif 000002
【実用新案登録請求の範囲】
【請求項１】
組立自在で愛玩動物の収容が可能な愛玩動物用筐体であって、
複数の側面部で内側に収容空間を有する略直方体状又は略立方体状の筐体本体と、
該筐体本体が着脱自在に連結される箱状連結体とを備えており、
前記箱状連結体の周縁に折曲周壁部を設けたことを特徴とする愛玩動物用筐体。
【請求項２】
前記折曲周壁部に他の筐体本体を連結する係合連結部を有することを特徴とする請求項１記載の愛玩動物用筐体。
【請求項３】
前記筐体本体は、正面部と背面部と左側面部と右側面部とを有し上下開口する略立方体状に構成されており、前記箱状連結体は、前記筐体本体の上下に設けられ前記略立方体状の前記筐体本体の上面部及び底面部を閉塞することを特徴とする請求項１又は２に記載の愛玩動物用筐体。
【請求項４】
前記箱状連結体は、愛玩動物用爪研部材を備えていることを特徴とする請求項１から３の何れかに記載の愛玩動物用筐体。
【請求項５】
請求項１から４の何れかに記載の愛玩動物用筐体を複数用いた愛玩動物用構造体であって、
前記愛玩動物用筐体に他の複数の筐体本体及び箱状連結体を上下方向及び水平方向に連結して階段状に構成したことを特徴とする愛玩動物用構造体。
【考案の詳細な説明】
【技術分野】
【０００１】
本考案は、組立自在で猫等の愛玩動物の収容が可能な愛玩動物用筐体及び愛玩動物用構造体に関する。
【背景技術】
【０００２】
従来の愛玩動物用筐体においては、紙、ダンボールあるいはプラスチック等のシートを素材とし、該シートで正方形箱状や長方形箱状等の矩形中空箱体を組み立て可能に形成し、該箱体の一面または複数面に、それぞれ通行穴を形成し、該通行穴の周囲に、他の矩形中空箱体を連結する連結部を複数設け、他の箱体の一または複数個と水平方向および垂直方向に連結するものが開示されている（例えば、特許文献１参照）。
【先行技術文献】
【特許文献】
【０００３】
【特許文献１】実用新案登録第３０６９８９９号公報
【考案の概要】
【考案が解決しようとする課題】
【０００４】
しかし、この従来構成においては、愛玩動物用筐体のシート面に設けたコ字状の穴に、他のシート面に設けた突起状の凸部を差し込み凸部の両端を拡げて、穴と凸部の係合により連結するものであるため、従来の愛玩動物用筐体の強度は弱く破損し易いという問題があった。
【０００５】
そこで本考案は、上記のような従来技術に存在する問題点に着目してなされたものである。その目的とするところは、強固に連結することができる愛玩動物用筐体及び愛玩動物用構造体を提供することにある。
【課題を解決するための手段】
【０００６】
上記目的を達成するために、本考案の愛玩動物用筐体は、組立自在で愛玩動物の収容が可能な愛玩動物用筐体であって、複数の側面部で内側に収容空間を有する略直方体状又は略立方体状の筐体本体と、該筐体本体が着脱自在に連結される箱状連結体とを備えており、前記箱状連結体の周縁に折曲周壁部を設けたことを特徴としている。
【０００７】
また、本考案の愛玩動物用筐体において、前記折曲周壁部に他の筐体本体を連結する係合連結部を有することを特徴としている。
【０００８】
さらに、本考案の愛玩動物用筐体において、前記筐体本体は、正面部と背面部と左側面部と右側面部とを有し上下開口する略立方体状に構成されており、前記箱状連結体は、前記筐体本体の上下に設けられ前記略立方体状の前記筐体本体の上面部及び底面部を閉塞することを特徴としている。
【０００９】
さらにまた、本考案の愛玩動物用筐体において、前記箱状連結体は、愛玩動物用爪研部材を備えていることを特徴としている。
【００１０】
本考案の愛玩動物用筐体を複数用いた愛玩動物用構造体であって、前記愛玩動物用筐体に他の複数の筐体本体及び箱状連結体を上下方向及び水平方向に連結して階段状に構成したことを特徴としている。
【考案の効果】
【００１１】
本考案の請求項１記載の愛玩動物用筐体によれば、上記のように構成されているので、強固に連結することができるという効果を奏する。
【００１２】
本考案の請求項２記載の愛玩動物用筐体によれば、上記のように構成されているので、請求項１記載の愛玩動物用筐体の奏する効果に加えて、他の筐体本体を強固に連結することができるという効果を奏する。
【００１３】
本考案の請求項３記載の愛玩動物用筐体によれば、上記のように構成されているので、請求項１又は２に記載の愛玩動物用筐体の奏する効果に加えて、愛玩動物のための略立方体状の閉塞収容空間を提供することができるという効果を奏する。
【００１４】
本考案の請求項４記載の愛玩動物用筐体によれば、上記のように構成されているので、請求項１から３の何れかに記載の愛玩動物用筐体の奏する効果に加えて、愛玩動物の爪研ぎ空間を提供することができるという効果を奏する。
【００１５】
本考案の請求項５記載の愛玩動物用構造体によれば、上記のように構成されているので、請求項１から４の何れかに記載の愛玩動物用筐体の奏する効果に加えて、愛玩動物が乗り降りする階段状の構造体を提供することができるという効果を奏する。
【図面の簡単な説明】
【００１６】
【図１】組み立てられた状態の愛玩動物用筐体を示す斜視図である。
【図２】筐体本体の分解展開図であり、一の本体素材の展開図である。
【図３】筐体本体の分解展開図であり、他の本体素材の展開図である。
【図４】箱状連結体の展開図である。
【図５】蓋体の展開図である。
【図６】愛玩動物用爪研部材を備えた箱状連結体を実線で示し、他を破線で示す斜視図である。
【図７】箱状連結体を実線で示し、他を破線で示す斜視図である。
【図８】複数の愛玩動物用筐体が連結されて構成された愛玩動物用構造体を示す斜視図である。
【考案を実施するための形態】
【００１７】
（第一実施形態）
以下、本考案を実施するための形態について、図１乃至図７を参照して説明する。
【００１８】
愛玩動物用筐体１００は、組立自在な段ボール製で全体が略立方体形状で内側に愛玩動物を収納可能な収納空間を有しており、筐体本体１０と、複数の箱状連結体２０，２０と、蓋体３０と、愛玩動物用爪研部材４０とを備えている。
【００１９】
筐体本体１０は、図１に示すように、略立方体状の複数の側面部としての左側面部１１と右側面部１２とを有しており、組み立てられた際に内側に収容空間を有する。筐体本体１０の正面部１３の略中央には、大きく角が取れた略四角形状に切り抜かれ、愛玩動物の出入りのための出入口１３ａを有している。
【００２０】
箱状連結体２０は、筐体本体１０の上下に設けられている。箱状連結体２０の周縁に内側へ折り曲げられて立設形成された折曲周壁部２４が設けられており、折曲周壁部２４で囲まれている開口空間に、蓋体３０、愛玩動物用爪研部材４０その他のものの嵌挿、載置又は収納が可能である。さらに、折曲周壁部２４に複数の係合連結部２２ａ，２６ａ，２８ａを有し、係合連結部２２ａ，２６ａ，２８ａを介して一又は複数の筐体本体１０が着脱自在に連結可能とされる。
【００２１】
本実施形態においては、筐体本体１０の、上側に複数の係合連結部２６ａを介して連結された一の箱状連結体２０が略立方体状の筐体本体１０の上面部を閉塞し、その下側に複数の係合連結部２２ａ，２８ａを介して連結された他の箱状連結体２０が略立方体状の筐体本体１０の底面部を閉塞する。
【００２２】
図２及び図３は、筐体本体１０の分解展開図である。筐体本体１０は、図２に示す本体素材１と、図３に示す本体素材２とから構成されている。本体素材１，２は、図２及び図３に示すように、平面状の段ボール製シート状で所定の形状に型抜きされている。本体素材１は、図２に示すように、出入口１３ａを有する正面部１３と右側面部１２とが一列に配列されており、正面部１３の一辺に貼付片１５が設けられている。本体素材２は、図３に示すように、左側面部１１と背面部１４とが一列に配列されており、背面部１４の一辺に貼付片１６が設けられている。
【００２３】
正面部１３と他との境界、及び背面部１４と他との境界には組み立てる際に折り曲げがしやすいように折り目が形成されている。筐体本体１０は、貼付片１５が本体素材２の左側面部１１の一辺に張り合わされ、貼付片１６が本体素材１の右側面部１２の一辺に張り合わされて正面部と背面部と左側面部と右側面部とを有し上下開口する略立方体状に組み立てられる。正面部１３と右側面部１２とが隣接する一辺に直交する二辺、及び左側面部１１と背面部１４とが隣接する一辺に直交する二辺には、複数の小片１７が所定間隔を存して設けられている。
【００２４】
複数の小片１７は、複数の係合連結部２２ａ，２６ａ，２８ａと同じ間隔で離間配置されており、折り曲げたり、拡げたりしないで使用される。各小片１７は、それぞれ係合連結部２２ａ，２６ａ，２８ａに嵌挿可能な幅であって、基端部近傍は係合連結部２２ａ，２６ａ，２８ａよりもやや幅広に形成されている。係合連結部２２ａ，２６ａ，２８ａに嵌挿し易いように端部はテーパ状に形成されている。さらに、各小片１７の基端部には、係合連結部２２ａ，２６ａ，２８ａとの係合用の略凹状くびれ部が形成されており、係合連結部２２ａ，２６ａ，２８ａに嵌挿された場合に小片１７が外れにくくなっている。
【００２５】
左側面部１１及び右側面部１２の略中央には、それぞれ他の出入口を形成するためのミシン孔による略円形状の破断線１８が設けられている。そして左側面部１１の四隅近傍に複数の連結孔１１ｂを有し、右側面部１２の四隅近傍に複数の連結孔１２ｂを有しており、各連結孔１１ｂ，１２ｂに図示しない別体の突起状の連結具を差し込み係止させて他の愛玩動物用筐体１００を左右方向に連結可能とされている。
【００２６】
組み立てられた箱状連結体２０を展開すると、図４に示すように、平面状の段ボール製シート状で所定の形状に型抜きされた略正方形状の平面部２６を有し、平面部２６の四辺に連続して夫々設けられた複数の外壁部２１，２７と、さらに外壁部２１，２７に夫々連続して設けられた複数の縁辺部２２，２８と、さらに縁辺部２２，２８に夫々連続して設けられた複数の内壁部２３，２９とを備えている。外壁部２１，２７と縁辺部２２，２８と内壁部２３，２９とで折曲周壁部２４を構成する。
【００２７】
複数の外壁部２１，２７と平面部２６の境界の四辺の平面部内側に複数の係合連結部２６ａを有する。係合連結部２６ａは、上記境界の四辺に沿って所定間隔を存して離隔配置されている略Ｉ字状の長方形状係止孔である。さらに、縁辺部２２に複数の係合連結部２２ａを有し、縁辺部２８に複数の係合連結部２８ａを有する。係合連結部２２ａ，２８ａは、係合連結部２６ａと同じ間隔で離間配置されている同サイズの略Ｉ字状の長方形状係止孔である。なお、箱状連結体２０の平面部２６には、愛玩動物用爪研部材４０を取出すための複数の押出孔２６ｂ，２６ｂを有している。
【００２８】
一対の外壁部２１，２１は、平面部２６の四辺のうち対向する二辺に夫々設けられ、この辺の幅と同幅で所定高さを有する略長方形に形成されている。他方、一対の外壁部２７，２７は、平面部２６の他の二辺に夫々設けられ、外壁部２１と同じ高さで両側に延出する折込片２７ａ，２７ａを有し、平面部２６の辺の幅より広く形成されている。
【００２９】
一対の縁辺部２２，２２は、各々隣接する外壁部２１から延出して設けられ、外壁部２１の幅と同幅で外壁部２１，２７の高さより低く形成され、略長方形に形成されている。他方、一対の縁辺部２８，２８は、各々外壁部２７から延出して設けられ、縁辺部２２と同じ高さで外壁部２７と接しない辺の両側端が略円弧状に形成されている。
【００３０】
一対の内壁部２３，２３は、各々縁辺部２２から延出して設けられ、縁辺部２２の幅より狭小で外壁部２１と同じ高さに形成され、縁辺部２２と接しない辺の両側端に係合凸部２３ａが形成されている。他方、一対の内壁部２９，２９は、各々縁辺部２８から延出して設けられ、縁辺部２８の幅より狭小で外壁部２７と同じ高さに形成されている。内壁部２９の両側に延出する折込片２９ａ，２９ａを有し、縁辺部２８の幅より広く形成されている。縁辺部２８と折込片２９ａとの境界には、縁辺部２２の高さ程度の所定長さの切込部２９ｂを有する。折込片２９ａ，２９ａと内壁部２９との境界であって縁辺部２８と接しない辺には略逆Ｌ字状切込部２９ｃと略Ｌ字状切込部２９ｄを有している。
【００３１】
平面部２６と外壁部２１と縁辺部２２と内壁部２３との境界及び平面部２６と外壁部２７と折込片２７ａ，２７ａと縁辺部２８と内壁部２９と折込片２９ａ，２９ａとの境界には、夫々組み立てる際に折り曲げがしやすいように折り目が形成されている。なお、外壁部２１と折込片２７ａとの境界には、夫々折り目ではなく切込部２５を有し、両者は分離されている。
【００３２】
蓋体３０は、図５に示すように、平面状の段ボール製シート状で所定の形状に型抜きされた略正方形状の天面部３を有し、天面部３の四辺に連続して設けられた複数の折返部３１を有する。折返部３１は、端部がテーパ状に形成された略台形状であり、蓋体３０を組み立てた場合に隣接する他の折返部３１と当接するようにされている。蓋体３０は、下方が開口する縦断面視略コ字状に組み立てられ、上面部の箱状連結体２０の折曲周壁部２４に囲まれた開口空間に嵌挿されて設けられている。
【００３３】
愛玩動物用爪研部材４０は、複数の爪研ぎ具４１，４２，４３から構成される。各爪研ぎ具４１，４２，４３は、複数枚貼り合わせて形成された段ボールを、箱状連結体２０に取り付け可能な長さと厚さを有する板状体に裁断して形成されるものであり、全体として略矩形板状である。愛玩動物用爪研部材４０は、複数の爪研ぎ具４１，４２，４３の長尺辺が当接するように一列に配列して箱状連結体２０に収納されている。
【００３４】
次に、本実施形態の愛玩動物用筐体１００の組立方法について説明する。まず、筐体本体１０を組み立てる。次いで、複数の箱状連結体２０を組み立てる。箱状連結体２０は、外壁部２７と縁辺部２８と内壁部２９とを折り目に沿って折り曲げ、同様にして外壁部２１と縁辺部２２と内壁部２３とを折り曲げる。この際に、複数の折込片２７ａ，２９ａが、隣接する外壁部２１と内壁部２３との間に折り返されて収納されつつ、これを全周にわたって繰り返す。これにより、内壁部２３，２９と外壁部２１，２７とが所定長さの縁辺部２２，２８を存して連続し、平面部２６の周縁に折曲周壁部２４が立設形成され、全体として一面が開口する箱状に組み立てられる。
【００３５】
このとき、箱状連結体２０は、切込部２９ｂを有することで、折込片２９ａが折り返されたときに折込片２７ａとの間に所定間隔を存して内壁部２３と当接するようにされる。そして、折り曲げられた内壁部２３の係合凸部２３ａが内壁部２９の略逆Ｌ字状切込部２９ｃ又は略Ｌ字状切込部２９ｄに差し込まれて係止され、折曲周壁部２４が立設形成される。折曲周壁部２４に複数の係合連結部２２ａ，２６ａ，２８ａを有し、一組の係合連結部２２ａ，２６ａ又は２８ａ，２６ａで貫通する貫通孔を有する。
【００３６】
箱状連結体２０を組み立てた場合に、両側の折込片２７ａ，２７ａが隣接する外壁部２１と内壁部２３との間に収納されて、平面部２６の周縁外周に連続して立設する外壁部２１，２７を構成する。同様にして、両端の折込片２９ａ，２９ａが隣接する外壁部２１と内壁部２３との間に収納されて平面部２６の周縁内周に連続して立設する内壁部２３，２９を構成する。
【００３７】
そして、図６に示すように、折曲周壁部２４で囲まれた開口空間に複数の爪研ぎ具４１，４２，４３を一列に配列収納して箱状連結体２０に愛玩動物用爪研部材４０を着脱自在に取着する。このとき、爪研ぎ具４１，４２，４３の夫々に押出孔２６ｂが対応するようにするとよい。箱状連結体２０は、押出孔２６ｂを有するので、愛玩動物用爪研部材４０の爪研ぎ具４１，４２，４３を個々に又は全部を容易に取出し又は交換することができる。
【００３８】
この後、筐体本体１０が箱状連結体２０に連結される。筐体本体１０は、貼付片１５が左側面部１１に張り合わされ、貼付片１６が右側面部１２に張り合わされて略立方体形状に組み立てられており、筐体本体１０に有する複数の小片１７の各々が、対応する箱状連結体２０の複数の係合連結部２２ａ，２８ａに差し込まれ、係止される。この状態において、箱状連結体２０は、他の係合連結部２６ａを有しているので、係合連結部２６ａに他の筐体本体の小片１７を係止して上下方向に他の筐体本体をさらに連結可能である。
【００３９】
さらに、筐体本体１０の上方に、他の箱状連結体２０を連結する。この際、突出するように有する小片１７の夫々が、他の箱状連結体２０に有する複数の係合連結部２６ａに差し込まれて係止される。以上により、図７に示すように、筐体本体１０の上下に箱状連結体２０が連結される。さらに、上面部の箱状連結体２０に蓋体３０を設けると、略立方体形状の愛玩動物用筐体１００の組立てが完了する。このとき、上面部の箱状連結体２０には、他の係合連結部２２ａ，２８ａを有しているので、さらに他の筐体本体を上下方向に連結可能である。このようにして、部屋のスペースに応じて愛玩動物用筐体を上下方向に延伸できる。
【００４０】
以上詳述した第一実施形態の愛玩動物用筐体１００によれば、次のような効果が発揮される。
段ボール製シートを素材とする、筐体本体１０と箱状連結体２０とを備えており、筐体本体１０が連結される箱状連結体２０の周縁に折曲周壁部２４を設けているので、組み立てが自在で、かつ、強固な連結とすることができる。
【００４１】
本実施形態の愛玩動物用筐体１００によれば、組立ての際、縁辺部２２との境界で内壁部２３を折り曲げると、係合凸部２３ａが内壁部２９の略逆Ｌ字状切込部２９ｃ又は略Ｌ字状切込部２９ｄに差し込まれて係合される。このようにして、箱状連結体２０の組立が完了すると、すべての内壁部２３が隣接する内壁部２９に当接し、係合凸部２３ａが略逆Ｌ字状切込部２９ｃ及び略Ｌ字状切込部２９ｄに係止され強固でゆがみのない強い構造となる。なお、切込部２９ｂを有することで折込片２９ａが折り返されたときに内壁部２３と当接するようにされているので、鉛直方向だけでなく、水平方向の力にも強度を有する。
【００４２】
折曲周壁部２４に筐体本体１０が連結される複数の係合連結部２２ａ，２６ａ，２８ａを有し、他の筐体本体１０と連結するように構成されているので、一又は他の筐体本体を上下方向に強固に連結することができる。さらに、箱状連結体２０を介して上下方向にさらに延伸形成することができる。
【００４３】
本実施形態の箱状連結体２０は、折曲周壁部２４に複数の係合連結部２２ａ，２６ａ，２８ａを有し、一組の係合連結部２２ａ，２６ａ又は２８ａ，２６ａで貫通する貫通孔を有するので、係合連結部２２ａ，２８ａを介して筐体本体１０が箱状連結体２０に連結された場合に、他の係合連結部２６ａを介して他の筐体本体１０を連結可能である。同様にして、係合連結部２６ａを介して筐体本体１０が連結されているときに、他の係合連結部２２ａ，２８ａを介して他の筐体本体１０を連結可能である。
【００４４】
筐体本体１０は、正面部１３と背面部１４と左側面部１１と右側面部１２とを有し上下開口する略立方体状に構成されており、箱状連結体２０は、筐体本体１０の上下に設けられ略立方体状の筐体本体１０の上面部及び底面部を閉塞するので、愛玩動物のための略立方体状の閉塞収容空間を提供することができる。この収容空間を内部に有することによって、愛玩動物が好む人目につかない狭い場所とすることができる。
【００４５】
他方で、筐体本体１０は、破断線１８を有する側面部１１，１２を備えているので、破断線１８にそって側面部１１，１２の略中央をくり抜くことが容易にでき、愛玩動物の出入りのための他の出入口ルートを形成することができる。また、隣接する側面部１１，１２相互の連結孔１１ｂ，１２ｂに挿嵌可能な連結具を設けて水平方向に連結することができる。例えば、複数の愛玩動物用筐体１００を、部屋のスペースに合わせて水平方向に複数列の横置きをすることができる。この場合に、破断線１８に沿って側面部１１，１２の略中央を切断すれば、組立後であっても、愛玩動物のための他の移動ルートを形成できる。
【００４６】
また、箱状連結体２０は、蓋体３０を備えているので、折曲周壁部２４で囲まれた開口空間を塞ぐことができる。また、愛玩動物用爪研部材４０を設けない場合の嵩上げ床の効果を奏する。また、押出孔２６ｂが見えないように被覆することができる。なお、係合連結部２２ａ，２６ａ，２８ａは、同間隔で貫通しているので、箱状連結体２０を上下逆さまにした状態で筐体本体１０に連結して構成することができる。この場合には、平面部２６の裏面が天板の作用を発揮する。
【００４７】
さらに、箱状連結体２０は、愛玩動物用爪研部材４０を備えているので、愛玩動物の爪研ぎ空間を提供することができる。なお、上記実施形態においては、愛玩動物用爪研部材４０を、下側の箱状連結体２０に設けたが、上側の箱状連結体２０に設けることもできる。この場合には、猫が好む高所に爪研ぎ場所を設けることができる。本実施形態の愛玩動物用筐体１００によれば、このようなバリエーション変更が容易にできる。
【００４８】
（第二実施形態）
次に、第二実施形態について、図８を参照して説明する。
第二実施形態の愛玩動物用構造体２００は、上記第一実施形態の愛玩動物用筐体１００を複数用いた愛玩動物用構造体である。愛玩動物用筐体１００に複数の筐体本体１０及び箱状連結体２０，２０を上下方向及び水平方向に連結して階段状に構成したものである。なお、第一実施形態と異なる部分のみ説明する。
【００４９】
愛玩動物用構造体２００は、愛玩動物用筐体１００に、他の愛玩動物用筐体が水平方向に連結されている。さらに、左側の愛玩動物用筐体１００の上方に他の筐体本体１０が連結され、これに他の箱状連結体２０及び蓋体３０が設けられて、左上がりの略Ｌ字階段状に構成されている。
【００５０】
愛玩動物用筐体１００と上方の他の筐体本体１０とは、複数の係合連結部２２ａ，２８ａに複数の小片１７が夫々嵌挿されて上下方向に連結され、着脱可能な係止状態を維持している。愛玩動物用筐体１００と他の愛玩動物用筐体との水平方向の連結は、側面部の各連結孔に図示しない突起状の連結具が挿入され、着脱可能に係止されている。なお、他の部分の連結状態は、上記第一実施形態と同様である。
【００５１】
本第二実施形態の愛玩動物用構造体２００によれば、筐体本体１０及び箱状連結体２０を複数備えており、これらを連結して上下方向に自由につなげられるので、部屋のスペースに合わせて組み立てることができる。さらに、連結を増やしていくことができる。また、愛玩動物用構造体２００によれば、図８に示すように、階段状に組むことで、キャットタワーのように遊具として使用することもできる。このように、自由に置けて、かつ、増やせる家具として使用でき、便利である。
【００５２】
また、愛玩動物用筐体１００及び愛玩動物用構造体２００によれば、段ボール製であるので、軽くて移動も容易である。さらに、箱型構造で強さも兼ね備え、未使用時には畳んでしまうことができ、省スペースで効率的である。廃棄時にはリサイクするすることができる。
【００５３】
さらに、折曲周壁部２４で囲まれた開口空間に、例えば、本、花瓶、植木、観葉植物等の趣向品、ワイングラス等の食器、雑貨小物等を置くことができる。これら本や雑貨小物等を入れてインテリアとして使用することができる。インテリア性を高めたリビングに置くことができ、家具のように使用することができる。
【００５４】
本実施形態の愛玩動物用構造体２００によれば、複数の係合連結部２２ａ，２６ａ，２８ａを介して一又は複数の筐体本体１０が着脱自在に連結可能とされているので、上下方向に組み立てることが容易にできる。複数段連結した愛玩動物用構造物を短時間で組み立てることができる。また、分解も容易にできる。
【００５５】
（他の実施形態）
なお、上記実施形態を次のように変更して構成することもできる。
上記実施形態では、愛玩動物用筐体１００は、略立方体形状に形成されているが、何らこれに限定されるものではなく、例えば、略直方体形状であってもよい。また、愛玩動物用筐体１００は、段ボール製であるが、それ以外の材料で構成されていてもよい。さらに、愛玩動物用筐体１００は、出入口を複数有するものであってもいいし、出入口を左側面部１１、右側面部１２、背面部１４の何れかに設けたものであってもよい。
【００５６】
また、上記実施形態においては、箱状連結体２０は、筐体本体１０の上下に連結されて設けられ略立方体状の筐体本体１０の上面部及び底面部を閉塞するものであるが、何らこれに限定されるものではない。例えば、箱状連結体２０を、略立方体の両側面部に有するように構成することもできる。また、箱状連結体２０を用いて複数の本体筐体１０を上下方向に連結し、箱状連結体２０を上面部と中間部と底面部とに有するものであってもよいし、それ以上に連結したものであってもよい。
【００５７】
さらに、愛玩動物用筐体１０及び愛玩動物用構造体２００は、着色されていてもよい。好ましくは、外側の化粧紙だけでなく、中心まで黒く染めたオリジナルクロ段ボールを使用する。このとき、内側も黒色に着色するとよい。愛玩動物用爪研部材４０も黒色に着色されているとさらによい。この場合には、他の段ボール製商品にはない高級感とシャープさを持ち合わせることができる。全体を黒で覆われたシャープなシルエットは、空間の印象を引きしめインテリア性を引き立てることができる。本棚として、インテリアシェルフとして、自由な発想で使用できる。そして、猫等の愛玩動物とおしゃれに暮らすことができる。愛玩動物に癒され、焦らされ、和まされ、愛おしいと感じる空間を提供できるのである。
【００５８】
上記第二実施形態においては、愛玩動物用構造体２００は、左上がりの略Ｌ字階段状に構成されているが、何らこれに限定されるものではない。例えば、右上がりの略逆Ｌ階段状に構成されていてもよい。また、部屋のスペースに合わせて、さらに複数で構成してもよく、例えば、上下方向に３段連結し、水平方向に６列連結した左上がりの略Ｌ字階段状でもよいし、右上がりの略逆Ｌ字階段状に構成されていてもよい。
【産業上の利用可能性】
【００５９】
インテリア性を高めたリビングに置くことができる家具のような愛玩動物用筐体及び愛玩動物用構造体であり、本棚、インテリアシェルフとしての用途にも適用できる。
【符号の説明】
【００６０】
１，２・・・本体素材、３・・・天面部、１０・・・筐体本体、１１・・・左側面部（側面部）、１２・・・右側面部（側面部）、１１ａ，１２ａ・・・連結孔、１３・・・正面部、１３ａ・・・出入口、１４・・・背面部、１５，１６・・・貼付片、１７・・・小片、１８・・・破断線、２０・・・箱状連結体、２１，２７・・・外壁部、２２，２８・・・縁辺部、２２ａ，２６ａ，２８ａ・・・係合連結部、２３，２９・・・内壁部、２３ａ・・・係合凸部、２４・・・折曲周壁部、２５，２９ｂ・・・切込部、２６・・・平面部、２６ｂ・・・押出孔、２７ａ，２９ａ・・・折込片、２９ｃ・・・略逆Ｌ字状切込部、２９ｄ・・・略Ｌ字状切込部、３０・・・蓋体、３１・・・折返部、４０・・・愛玩動物用爪研部材、４１，４２，４３・・・爪研ぎ具、１００・・・愛玩動物用筐体、２００・・・愛玩動物用構造体
【図１】
0003208211.tif 000003
【図２】
0003208211.tif 000004
【図３】
0003208211.tif 000005
【図４】
0003208211.tif 000006
【図５】
0003208211.tif 000007
【図６】
0003208211.tif 000008
【図７】
0003208211.tif 000009
【図８】
0003208211.tif 000010